(57)【要約】【課題】写真画像等のコンテンツの投稿を受け付け、投稿されたコンテンツのランク付けを行う電子掲示板において、コンテンツのランクの信憑性を向上させる。【解決手段】写真画像ウェブサイト投稿された写真画像に投票する際に、投票者の認証を行って写真画像に対するコメントの入力を受け付ける。入力されたコメントは投票者毎に表示され、ウェブサイトの閲覧者が投票者に対して評価を行い、投票者のランクを決定する。投票者のランクに応じて、その投票者の投票に対する投票点を重み付けして、写真画像のランクを決定する。【選択図】　　　　　図１
2004139343.tif 000002
【特許請求の範囲】
【請求項１】
電子掲示板に投稿される複数のコンテンツに対する投票を受け付け、該投票結果に基づいて前記複数のコンテンツのランクを決定するコンテンツ評価方法において、
前記コンテンツに対して投票を行う投票者の認証を行い、
認証された投票者に対してのみ、投票するコンテンツの選択および選択されたコンテンツに対する評価の入力を受け付け、
前記評価を複数の投票者毎に前記電子掲示板に掲示し、
前記電子掲示板を閲覧する閲覧者による、前記評価に基づく前記各投票者に対する評価を受け付け、
該各投票者に対する評価に基づいて該各投票者のランクを決定し、
該各投票者のランクに基づいて、上位の投票者ほど投票結果に対する重み付けを大きくして、前記複数のコンテンツのランクを決定することを特徴とするコンテンツ評価方法。
【請求項２】
前記各投票者のランクを前記電子掲示板に掲示することを特徴とする請求項１記載のコンテンツ評価方法。
【請求項３】
電子掲示板に投稿される複数のコンテンツに対する投票を受け付け、該投票結果に基づいて前記複数のコンテンツのランクを決定するコンテンツ評価装置において、
前記コンテンツに対して投票を行う投票者の認証を行う手段と、
認証された投票者に対してのみ、投票するコンテンツの選択および選択されたコンテンツに対する評価の入力を受け付ける手段と、
前記評価を複数の投票者毎に前記電子掲示板に掲示する手段と、
前記電子掲示板を閲覧する閲覧者による、前記評価に基づく前記各投票者に対する評価を受け付ける手段と、
該各投票者に対する評価に基づいて該各投票者のランクを決定する手段と、
該各投票者のランクに基づいて、上位の投票者ほど投票結果に対する重み付けを大きくして、前記複数のコンテンツのランクを決定する手段とを備えたことを特徴とするコンテンツ評価装置。
【請求項４】
前記各投票者のランクを前記電子掲示板に掲示する手段をさらに備えたことを特徴とする請求項３記載のコンテンツ評価装置。
【請求項５】
電子掲示板に投稿される複数のコンテンツに対する投票を受け付け、該投票結果に基づいて前記複数のコンテンツのランクを決定するコンテンツ評価方法をコンピュータに実行させるためのプログラムにおいて、
前記コンテンツに対して投票を行う投票者の認証を行う手順と、
認証された投票者に対してのみ、投票するコンテンツの選択および選択されたコンテンツに対する評価の入力を受け付ける手順と、
前記評価を複数の投票者毎に前記電子掲示板に掲示する手順と、
前記電子掲示板を閲覧する閲覧者による、前記評価に基づく前記各投票者に対する評価を受け付ける手順と、
該各投票者に対する評価に基づいて該各投票者のランクを決定する手順と、
該各投票者のランクに基づいて、上位の投票者ほど投票結果に対する重み付けを大きくして、前記複数のコンテンツのランクを決定する手順とを有するプログラム。
【請求項６】
前記各投票者のランクを前記電子掲示板に掲示する手順をさらに有する請求項５記載のプログラム。
【発明の詳細な説明】
【０００１】
【発明の属する技術分野】
本発明は、電子掲示板に投稿された複数の写真画像等のコンテンツについての投票を受け付け、投票結果に基づいてコンテンツのランクを決定するコンテンツ評価方法および装置並びにコンテンツ評価方法をコンピュータに実行させるためのプログラムに関するものである。
【０００２】
【従来の技術】
ウェブサイトの閲覧者によるウェブサイトに対するコメントの入力を受け付けたり、ウェブサイトに関連する情報交換の場を提供するために、ウェブサイトに電子掲示板を開設することが行われている。また、ウェブサイトの方針に応じて、写真画像や音楽等のコンテンツの投稿を受け付け、投稿されたコンテンツを電子掲示板に掲示することが行われている。例えば、写真会社が提供するウェブサイトにおいては、電子掲示板に投稿された写真画像が掲示される。このような電子掲示板においては、ウェブサイトの閲覧者が投稿者のコンテンツを楽しんだり、コンテンツに対してコメントを書き込んだりすることが行われている。
【０００３】
また、複数のコンテンツが投稿された場合には、コンテンツに対する投票を受け付けるようにし、コンテンツにランクを付けることも行われている。とくに、上記にランクされたコンテンツには景品を提供する等の特典を付与すれば、ウェブサイトへのアクセスも増大し、さらには、投稿者もコンテンツの作成技術を磨く等努力するため、電子掲示板の内容がより充実したものとなる。
【０００４】
なお、ウェブサイトへの集客能力を向上させるために、電子掲示板への投稿記事に対して他のアクセス者が評価を行い、その評価結果に応じて記事の投稿者に特典を付与する方法が提案されている（特許文献１参照）
【０００５】
【特許文献１】
特開２０００−２８２６７５号公報
【０００６】
【発明が解決しようとする課題】
しかしながら、上述したようにコンテンツのランクを付ける場合、同一人物が１つのコンテンツに何度も投票を行えば、そのコンテンツのランクは上がってしまう。このように不正な投票があると、コンテンツのランクの信憑性がなくなり、その結果、電子掲示板の面白みが半減してしまうという問題がある。
【０００７】
本発明は上記事情に鑑みなされたものであり、電子掲示板に投稿されたコンテンツのランクの信憑性を向上させることを目的とする。
【０００８】
【課題を解決するための手段】
本発明によるコンテンツ評価方法は、電子掲示板に投稿される複数のコンテンツに対する投票を受け付け、該投票結果に基づいて前記複数のコンテンツのランクを決定するコンテンツ評価方法において、
前記コンテンツに対して投票を行う投票者の認証を行い、
認証された投票者に対してのみ、投票するコンテンツの選択および選択されたコンテンツに対する評価の入力を受け付け、
前記評価を複数の投票者毎に前記電子掲示板に掲示し、
前記電子掲示板を閲覧する閲覧者による、前記評価に基づく前記各投票者に対する評価を受け付け、
該各投票者に対する評価に基づいて該各投票者のランクを決定し、
該各投票者のランクに基づいて、上位の投票者ほど投票結果に対する重み付けを大きくして、前記複数のコンテンツのランクを決定することを特徴とするものである。
【０００９】
なお、本発明によるコンテンツ評価方法においては、前記各投票者のランクを前記電子掲示板に掲示してもよい。
【００１０】
「複数のコンテンツのランク」は、１回の投票についての投票点を予め定めておき、投票点をコンテンツ毎に集計し、コンテンツを総投票点が多い順に並べることにより決定することができる。
【００１１】
「投票者の認証」は、投票者に対して電子掲示板を開設するウェブサイトが予めＩＤおよびパスワードを発行し、投票者が電子掲示板へアクセスするときに入力されるＩＤおよびパスワードに基づいて行うことができる。なお、投票者は投票の直前にウェブサイトに登録を行って、ＩＤおよびパスワードの発行を受けてもよい。
【００１２】
「選択されたコンテンツに対する評価」としては、コンテンツのできをほめる正の評価のみならず、欠点を評価する負の評価であってもよい。負の評価を行った場合、そのコンテンツへの投票点は負の値を有するものとなる。
【００１３】
「投票者に対する評価」としては、投票者がコンテンツに対して行った評価結果に対する評価であり、コンテンツに対する評価と同様に、正の評価および負の評価を有するものとなる。
【００１４】
「投票者のランク」は、閲覧者による投票者への正の評価および負の評価にそれぞれ正負の投票点を与え、投票点を投票者毎に集計し、投票者を総投票点が多い順に並べることにより決定することができる。
【００１５】
本発明によるコンテンツ評価装置は、電子掲示板に投稿される複数のコンテンツに対する投票を受け付け、該投票結果に基づいて前記複数のコンテンツのランクを決定するコンテンツ評価装置において、
前記コンテンツに対して投票を行う投票者の認証を行う手段と、
認証された投票者に対してのみ、投票するコンテンツの選択および選択されたコンテンツに対する評価の入力を受け付ける手段と、
前記評価を複数の投票者毎に前記電子掲示板に掲示する手段と、
前記電子掲示板を閲覧する閲覧者による、前記評価に基づく前記各投票者に対する評価を受け付ける手段と、
該各投票者に対する評価に基づいて該各投票者のランクを決定する手段と、
該各投票者のランクに基づいて、上位の投票者ほど投票結果に対する重み付けを大きくして、前記複数のコンテンツのランクを決定する手段とを備えたことを特徴とするものである。
【００１６】
なお、本発明によるコンテンツ評価装置においては、前記各投票者のランクを前記電子掲示板に掲示する手段をさらに備えるようにしてもよい。
【００１７】
なお、本発明によるコンテンツ評価方法をコンピュータに実行させるためのプログラムとして提供してもよい。
【００１８】
【発明の効果】
本発明によれば、電子掲示板に投稿されたコンテンツについて、投票者が投票を行う場合、まず投票者の認証が行われる。そして、認証された投票者に対してのみ、投票するコンテンツの選択および選択されたコンテンツに対する評価の入力が受け付けられる。投票者がコンテンツの選択および評価の入力を行うと、評価が複数の投票者毎に電子掲示板に掲示される。この状態において、電子掲示板の閲覧者は、電子掲示板に投稿されたコンテンツについて各投票者の評価を閲覧することができる。閲覧者は電子掲示板に掲示された評価に基づいて、各投票者の評価を行うことができる。
【００１９】
閲覧者による各投票者に対する評価が受け付けられると、各投票者に対する評価に基づいて、各投票者のランクが決定される。そして、各投票者のランクに基づいて、上位の投票者ほど投票結果に対する重み付けが大きくされて、投稿されたコンテンツのランクが決定される。
【００２０】
このように、本発明においては、認証された投票者に対してのみ、投票するコンテンツの選択および評価の入力を受け付けているため、同一人物が他人になりすまして特定のコンテンツに集中的に投票することを防止することができる。また、誰が見てもそれほどよいコンテンツではないにも拘わらず高い評価を行っている投票者、よいコンテンツであるにも拘わらず低い評価を行っている投票者、および同一のコンテンツに対して何度も投票を行っている投票者は、信頼できないものである。このように信頼できない投票者に対しては閲覧者は負の評価を行うため、その投票者のランクは下がる。すなわち、各投票者のランクは投票者の信頼度を表す指標となる。その結果、その投票者が投票したコンテンツについては、その投票者の投票結果に対する重み付けが小さくなるため、その投票者のコンテンツのランクに寄与する割合が低くなる。逆にランクが高い投票者が投票したコンテンツについては、投票結果に対する重み付けが大きくなるため、その投票者のコンテンツのランクに寄与する割合が高くなる。
【００２１】
このように、ランクが高いすなわち信頼度が高い投票者が投票したコンテンツほどランクが高くなるため、コンテンツのランクはより信憑性が高いものとなる。このように、本発明によれば投稿したコンテンツが正当に評価されるため、投稿者はコンテンツの作成技術を磨く等して努力を行ってできのよいコンテンツを投稿することとなり、その結果、電子掲示板の内容をより充実したものとすることができる。
【００２２】
また、各投票者のランクを電子掲示板に掲示することにより、電子掲示板の閲覧者は各投票者のランクを知ることができる。このため、自身が投票者を評価する際の参考とすることができる。
【００２３】
【発明の実施の形態】
以下図面を参照して本発明の実施形態について説明する。図１は本発明の実施形態によるコンテンツ評価システムの構成を示す概略ブロック図である。図１に示すように、本実施形態によるコンテンツ評価システムは、電子掲示板に投稿された写真画像のランク付けを行うものであり、電子掲示板を運営する写真画像ウェブサイトを管理するウェブサーバ１と、ウェブサーバ１とインターネット等のネットワーク３を介して接続された複数の端末装置２との間で情報のやり取りを行うものである。
【００２４】
ウェブサーバ１は、写真画像の投稿を受け付け、投稿された写真画像についてのランク付けを行う電子掲示板を運営する写真画像ウェブサイトを管理する。このため、ウェブサーバ１は、投稿された写真画像を表す画像データＳ０、写真画像のランクおよび投稿された評価のコメント等を管理するデータベースＤＢ１および投票者のランクを管理するデータベースＤＢ２を記憶するハードディスクのような記憶媒体１Ａを備えてなるものである。
【００２５】
ここで、ウェブサーバ１は、写真画像ウェブサイトに投稿された多数の写真画像に対して多数の投票者の投票を受け付ける。一方、写真画像に対してコメントを付与した投票者に対する、写真画像ウェブサイトの閲覧者による評価を受け付け、その評価結果に応じて投票者のランクを決定する。そして、投票者のランクに応じて各写真画像に対する投票点を重み付けして集計して、各写真画像のランクを決定する。
【００２６】
例えば、図２に示すように、投票者の上位１〜３位の投票者は投票点を２０点、４〜１０位の投票者は１０点、１１〜５０位の投票者は５点、５０〜２００位の投票者は３点、それ以下のランクの投票者は１点というように、ランクが上位の投票者ほど、投票点を大きくするように重み付けをして投票点の集計を行い写真画像のランクを決定する。
【００２７】
決定された写真画像のランクはデータベースＤＢ１に記憶される。なお、投票者のランクはデータベースＤＢ２に記憶される。
【００２８】
ここで、データベースＤＢ１は写真画像への投票結果に応じて、データベースＤＢ２は投票者への投票結果に応じて、随時更新される。
【００２９】
端末装置２は、パソコン、携帯電話、ＰＤＡ等、ネットワーク３に接続してウェブサーバ１が管理する写真画像ウェブサイトにアクセス可能なあらゆる手段を用いることができるが、本実施形態においては、パソコンから写真画像ウェブサイトにアクセスするものとして説明する。
【００３０】
次いで、本実施形態の動作について説明する。図３は本実施形態において行われる処理を示すフローチャートである。なお、本実施形態においては、不特定多数の写真画像の投稿者が写真画像ウェブサイトにアクセスして、電子掲示板に複数の写真画像を投稿しているものとする。
【００３１】
まず、端末装置２のユーザが、写真画像ウェブサイトの電子掲示板にアクセスすると、投稿された写真画像を表す投稿画面が端末装置２に表示される（ステップＳ１）。図４は端末装置２に表示された投稿画面を示す図である。図４に示すように、この投稿画面１０には、現在投稿されている写真画像のランクが表示される。写真画像のランクは「１位」、「２位」…の順位１０Ａ、対応する順位の写真画像のサムネイル画像１０Ｂ、写真画像を別ウィンドウで開く場合にクリックされる「画面を見る」のハイパーテキスト１０Ｃ、その写真画像に投票する場合にクリックされる「投票する」のハイパーテキスト１０Ｄ、写真画像への投票者の評価を見る場合にクリックされる「評価を見る」のハイパーテキスト１０Ｅ、および画面をスクロールするためのスクロールバー１０Ｆが表示される。なお、投票画面１０における写真画像のランクは、記憶媒体１Ａに保管されたデータベースＤＢ１に記憶されてなるものである。
【００３２】
写真画像ウェブサイトへアクセス中のユーザは、この状態においては電子掲示板の閲覧者である。ユーザは、スクロールバー１０Ｆを操作することにより、投稿された写真画像をそのランクとともに閲覧することができる。また、「画像を見る」のハイパーテキスト１０Ｃをクリックすることにより、そのハイパーテキスト１０Ｃが付与されている写真画像を別ウィンドウで拡大表示することができる。
【００３３】
続いて、ユーザが選択した写真画像のサムネイル画像に対応する「投票する」のハイパーテキスト１０Ｄがクリックされたか否かが判定され（ステップＳ２）、ステップＳ２が肯定されると、閲覧者のＩＤおよびパスワードの入力が受け付けられるとともに、入力されたＩＤおよびパスワードがウェブサーバ１に送信される（ステップＳ３）。ここで、閲覧者が写真画像ウェブサイトからＩＤおよびパスワードの発行を受けている場合は、閲覧者は不図示の認証情報入力画面からＩＤおよびパスワードを入力すればよい。一方、ＩＤおよびパスワードが未発行の場合には、写真画像ウェブサイトに自身を登録することにより、ＩＤおよびパスワードの発行を受ければよい。
【００３４】
ウェブサーバ１においては、ＩＤおよびパスワードの認証が行われて、認証がＯＫであるか否かが判定される（ステップＳ４）。ステップＳ４が肯定されると、投票画面が端末装置２に表示される（ステップＳ５）。
【００３５】
図５は投票画面を示す図である。図５に示すように、投票画面１１には、「投票する」のハイパーテキスト１０Ｄをクリックした写真画像１１Ａ、コメントを入力するコメント入力ボックス１１Ｂ、投票する写真画像に対してプラスの評価をする場合にクリックされるプラス評価ボタン１１Ｃ、コメントのみを行う場合にクリックされるコメントボタン１１Ｄおよび投票する写真画像に対してマイナスの評価をする場合にクリックされるマイナス評価ボタン１１Ｅが表示される。
【００３６】
端末装置２のユーザはこの段階で投票者となり、コメント入力ボックス１１Ｂに選択した写真画像に対するコメントを入力する。そして、選択した写真画像に対してプラスの評価を行う場合にはプラス評価ボタン１１Ｃを、コメントのみを行う場合にはコメントボタン１１Ｄを、マイナスの評価を行う場合にはマイナス評価ボタン１１Ｅをクリックする。
【００３７】
そして、いずれかのボタンがクリックされたか否かが判定され（ステップＳ６）、ステップＳ６が肯定されると、コメントおよびプラスまたはマイナスの評価結果を含む写真画像評価情報が端末装置２からウェブサーバ１に送信され（ステップＳ７）、ステップＳ１に戻る。
【００３８】
ウェブサーバ１においては、評価情報に基づいてデータベースＤＢ１が更新される（ステップＳ８）。すなわち、プラスの評価がなされれば、投票者のランクに応じて重み付けされた投票点が選択した写真画像の総投票点に対して加算される。一方、マイナスの評価がなされれば、投票者のランクに応じて重み付けされた投票点が選択した写真画像の総投票点から減算される。
【００３９】
ステップＳ２が否定されると、ユーザが選択した写真画像のサムネイル画像に対応する「評価を見る」のハイパーテキスト１０Ｅがクリックされたか否かが判定され（ステップＳ９）、ステップＳ９が肯定されると、ユーザが選択した写真画像に対する評価画面が端末装置２に表示される（ステップＳ１０）。図６は写真画像評価画面を示す図である。図６に示すように、写真画像評価画面１２には、ユーザが選択した写真画像のタイトル１２Ａ（ここでは○○○○）、現在の総投票点１２Ｂ（３８５０ｐｏｉｎｔ）、投票者名１２Ｃ、投票者毎のコメント１２Ｄ、投票者の現在のランク１２Ｅおよびスクロールバー１２Ｆが表示される。
【００４０】
ここで、図６に示す写真画像評価画面１２には、ＡＢＣ、ＣＤＥおよびＦＧＨの３名の投票者のコメントが表示されている。投票者ＡＢＣは２３２位、投票者ＣＤＥは３２位であることが分かる。なお、投票者ＦＧＨはランクが未付与であることを示す※印が付与されている。
【００４１】
端末装置２のユーザは、写真画像評価画面１２において、ユーザが選択した写真画像についての評価を閲覧することができる。また、コメントの数が多い場合には、スクロールバー１２Ｆにより写真画像評価画面１２をスクロールして全ての投票者のコメントを閲覧できる。ここで、投票者名１２Ｃはハイパーテキストとなっており、所望とする投票者名１２Ｃをクリックすることにより、投票者の評価を行うことができる。
【００４２】
したがって、ステップＳ１０に続いて、投票者名１２Ｃのハイパーテキストがクリックされたか否かが判定され（ステップＳ１１）、ステップＳ１１が肯定されると、投票者評価画面が表示される（ステップＳ１２）。図７は投票者評価画面を示す図である。図７に示すように、投票者評価画面１３には、ユーザが選択した投票者が信頼できる場合にクリックされる「信頼できる」ラジオボタン１３Ａ、信頼できない場合にクリックされる「信頼できない」ラジオボタン１３Ｂおよび評価結果をウェブサーバ１に送信するための評価ボタン１３Ｃが表示される。なお、図７においては、「信頼できる」ラジオボタン１３Ａがクリックされた状態を示している。
【００４３】
ユーザは、投票者評価画面１３において、ユーザが選択した写真画像に対するコメントをした投票者の評価を行うことができる。すなわち、その投票者が信頼できると思った場合には、「信頼できる」ラジオボタン１３Ａをクリックし、その投票者が信頼できないと思った場合には、「信頼できない」ラジオボタン１３Ｂをクリックした後に、評価ボタン１３Ｃをクリックする。
【００４４】
したがって、ステップＳ１２に続いて、評価ボタン１３Ｃがクリックされたか否かが判定され（ステップＳ１３）、ステップＳ１３が肯定されると、投票者の評価結果を表す投票者評価情報がウェブサーバ１に送信される（ステップＳ１４）。
【００４５】
ウェブサーバ１においては、投票者評価情報に基づいてデータベースＤＢ２が更新される（ステップＳ１５）。すなわち、投票者評価情報が投票者が信頼できる旨を表すものであれば、投票者に対して予め定められた点数（例えば１点）が現在の投票者の総投票点に加算され、逆に投票者評価情報が投票者が信頼できない旨を表すものであれば、投票者に対して予め定められた点数（例えば１点）が現在の投票者の総投票点から減算されることにより、データベースＤＢ２が更新される。
【００４６】
続いて、アクセスが切断されることにより投稿画面の表示が終了されたか否かが判定される（ステップＳ１６）。なお、ステップＳ４、ステップＳ６、ステップＳ９、ステップＳ１１およびステップＳ１３が否定された場合もステップＳ１６へ進む。そして、ステップＳ１６が肯定されると処理を終了する。一方、ステップＳ１６が否定されるとステップＳ１に戻り、ステップＳ１以降の処理が繰り返される。
【００４７】
このように、本実施形態においては、写真画像ウェブサイトに投稿された写真画像に対して評価を行った投票者についての評価を行って投票者のランクを決定し、ランクが高い投票者ほど写真画像に対する投票点の重み付けを大きくするようにしたものである。このため、ランクが高いすなわち信頼度が高い投票者が投票した写真画像ほどランクが高くなり、その結果、写真画像のランクはより信憑性が高いものとなる。したがって、写真画像が正当に評価されることとなり、投稿者も撮影技術を磨く等して努力を行うこととなり、写真画像ウェブサイトの内容をより充実させることができる。
【００４８】
なお、上記実施形態においては、写真画像の投稿を受け付けて写真画像のランクを決定する写真画像ウェブサイトに本発明を適用しているが、小説、俳句、動画像、音声等の種々のコンテンツの投稿を受け付けてコンテンツのランクを決定するウェブサイトに対しても本発明を適用することができる。
【図面の簡単な説明】
【図１】本発明の実施形態によるコンテンツ評価システムの構成を示す概略ブロック図
【図２】投票者のランクと投票点との関係を示す表
【図３】本実施形態において行われる処理を示すフローチャート
【図４】投稿画面を示す図
【図５】投票画面を示す図
【図６】写真画像評価画面を示す図
【図７】投票者評価画面を示す図
【符号の説明】
１　　ウェブサーバ
２　　端末装置
３　　ネットワーク
１０　　投稿画面
１１　　投票画面
１２　　写真画像評価画面
１３　　投票者評価画面
【図１】
2004139343.tif 000003
【図２】
2004139343.tif 000004
【図３】
2004139343.tif 000005
【図４】
2004139343.tif 000006
【図５】
2004139343.tif 000007
【図６】
2004139343.tif 000008
【図７】
2004139343.tif 000009